(57)【要約】【課題】軸筒７を振ることにより生じる重量体１１の慣性力によりチャック１を前進させて芯９を繰り出す振出式シャープペンシルにおいて、操作体１２を回動することにより係止片７Ｇを内側に撓ませて重量体１１を係止し、携帯時の芯繰り出しを防止する振出式シャープペンシルを提供する。【解決手段】軸筒７等の本体に可撓性を有した係止片７Ｇを形成し、操作体１２を回動することにより係止片７Ｇの隆起部7Ｈを最浅部12Ｂに移動させて係止片7Ｇを内側に撓ませ重量体１１を係止する。【選択図】        図１
2008273009.tif 000002
【特許請求の範囲】
【請求項１】
軸筒を振ることにより生じる重量体の慣性力によりチャックを前進させて芯を繰り出す振出式シャープペンシルにおいて、軸筒内に重量体を摺動可能に内蔵するとともに、軸筒等の本体に可撓性を有した係止片を形成し、操作体を回動することにより係止片を内側に撓ませて重量体を係止し、携帯時の芯繰り出しを防止する振出式シャープペンシル。
【請求項２】
操作体の係合面に最深部と最浅部を形成し、この操作体の係合面に軸筒の係止片の隆起部を係合したことを特徴とする請求項１記載の振出式シャープペンシル。
【請求項３】
操作体の係合面を、最深部から最浅部までを除々に浅くなるように構成したことを特徴とする請求項２記載の振出式シャープペンシル。
【発明の詳細な説明】
【技術分野】
【０００１】
本発明は、軸筒を振ることによって生じる重量体の慣性力によりチャックを前進させて芯を繰り出す振出式シャープペンシルにおいて、携帯時における振動では芯が繰り出されないようにしたものである。
【背景技術】
【０００２】
現在、振ることによって生じる重量体の慣性力により芯を繰り出す振出式シャープペンシルは、筆記状態から持ち変えることなく芯を繰り出せるので非常に好まれている。また、携帯時における振動等では芯が繰り出されないようにした振出式シャープペンシルとしては、軸内に前後に摺動可能に摺動体を内蔵し、該摺動体に固着されたボタンが軸の透孔より突出し、かつ摺動体の前部にばね片部を設けるとともに軸の内部に内面突部を設けて、携帯時には摺動体を前進させてばね片部を内面突部に当接して内方に折曲し、芯タンクを押圧保持するように構成し、筆記時には摺動体を後退させてばね片部を芯タンクより離間して芯タンクが軸方向に摺動自在に構成したシャープペンシルが知られている。（特許文献１参照）
【特許文献１】実公昭６０−２１２７８号公報
【発明の開示】
【発明が解決しようとする課題】
【０００３】
しかしながら、上記したシャープペンシルは、軸の透孔よりボタンが突出しているので、外観が損なわれてしまうものであった。しかも、芯タンクを押圧保持した場合にはノブを押圧してチャックを前進させることができず、ノブを押圧して芯を繰り出すこともできなくなってしまうものであった。
本発明は、上記課題を解消する振出式シャープペンシルを提供することを目的とするものである。
【課題を解決するための手段】
【０００４】
本発明は、軸筒を振ることにより生じる重量体の慣性力によりチャックを前進させて芯を繰り出す振出式シャープペンシルにおいて、軸筒内に重量体を摺動可能に内蔵するとともに、軸筒等の本体に可撓性を有した係止片を形成し、操作体を回動することにより係止片を内側に撓ませて重量体を係止し、携帯時の芯繰り出しを防止したことを第１の要旨とする。
【０００５】
また、操作体の係合面に最深部と最浅部を形成し、この操作体の係合面に軸筒の係止片の隆起部を係合したことを第２の要旨とする。
【０００６】
更に、操作体の係合面を、最深部から最浅部までを除々に浅くなるように構成したことを第３の要旨とする。
【発明の効果】
【０００７】
本発明は、携帯時における振動では芯が繰り出されないようにすることができる。しかも、操作体を回動することにより係止片を内側に撓ませて重量体を係止するので、外観を損なうことがない。更に、重量体のみを係止片で係止するので、携帯状態でもノブノックによる芯の繰り出しは行えるという効果が奏せられるものである。
【発明を実施するための最良の形態】
【０００８】
携帯時に軸筒に振動等の力が加えられても芯が繰り出される恐れがなく、また、携帯状態においてもノブノックによる芯の繰り出しは行える振出式シャープペンシルを実現した。
【実施例１】
【０００９】
以下、図面に基づいて本発明の振出式シャープペンシルを説明する。図１、図２、図３、図４、図５、図６及び図７は本発明の実施例１を示すもので、チャック１と、コネクター２を介してチャック１に連結された芯タンク３と、チャック１の頭部１Ａに外嵌された締リング４と、締リング４を受け止める連結具５と、連結具５とコネクター２の間に張架されるスプリング６とにより振出式シャープペンシルの機構部を構成する。この機構部の芯タンク３及びコネクター２が挿通可能に軸筒７の前部孔７Ａを構成し、軸筒７の前端と軸筒７の前部に螺合された口金８の内段８Ａにより前記連結具５を挾持する。口金８には芯９を適度の力で保持するゴム等の弾性体で構成された芯ホルダー１０が内蔵されている。
【００１０】
軸筒７の後端より開口されかつ前記前部孔７Ａより太径の内孔７Ｂには、長手方向に伸びたリブ７Ｃを複数形成する。この内孔７Ｂに、黄銅等の金属板を円筒状に丸めて構成した重量体１１が摺動可能に内蔵され、この重量体１１の貫通孔に前記芯タンク３が挿通される。更に、軸筒７は前部７Ｄが細径に構成されるとともに、前部７Ｄより太径で後部７Ｅより細径の中間部７Ｆが形成される。この中間部７Ｆにコ字型に切り欠かれて可撓性を有した係止片７Ｇを長手方向前方に伸ばして形成する。この係止片７Ｇの前端部に前端面は傾斜されかつ後端面は垂直に形成された隆起部７Ｈが構成される。また、軸筒７の後部７Ｅより前方に伸びた突部７Ｉを形成する。
【００１１】
円筒形の操作体１２は、前端に最深部１２Ａと最浅部１２Ｂを円周方向に略９０度離して形成する。しかも、最深部１２Ａから最浅部１２Ｂまでを除々に浅くなるように滑らかな曲面で構成する。更に、最深部１２Ａには隆起部７Ｈを係止するための係止突起１２Ｃが形成され係合面を構成する。また、操作体１２の後端には内孔よりやや大きい曲率半径の切欠部１２Ｄを円周方向に略９０度形成する。
【００１２】
この操作体１２を軸筒７の前方より被せて、軸筒７の係止片７Ｇに形成した隆起部７Ｈを操作体１２の前方に挿通させ、隆起部７Ｈの後端が操作体１２の内段１２Ｅに係止される。通常の筆記状態では、隆起部７Ｈは操作体１２の最深部１２Ａに位置し、隆起部７Ｈが係止突起１２Ｃにより係止されるとともに係止片７Ｇは重量体１１と離間している。また、前記軸筒７の突部７Ｉが操作体１２の切欠部１２Ｄに挿入され、軸筒７の突部７Ｉは操作体１２の切欠部１２Ｄ内を略９０度回動可能となる。従って、操作体１２は略９０度回動可能に軸筒７の中間部７Ｆに取り付けられる。
【００１３】
更に、軸筒７の前部７Ｄにゴム等の軟質材からなるグリップ１３が外嵌され、グリップ１３の内段１３Ａが軸筒７の段部７Ｊに当接される。従って、グリップ１３の後端と操作体１２の前端とは適宜離間している。
【００１４】
頭冠１４は、上側にクリップ１５を一体に形成するとともに、前部に細径部１４Ａを形成する。この細径部１４Ａの外周面には前記クリップ１５の真下に位置して突起１４Ｂを形成するとともに、細径部１４Ａの両側部に長手方向に伸びた開口窓１４Ｃを対向して形成し、突起１４Ｂが位置する細径部１４Ａが適宜弾性変形可能に構成する。この頭冠１４には、前部内側に芯タンク３の横振れを防止するための内鍔１４Ｄが形成されるとともに、後部内側にはリターンスプリング１６を当接するための段部１４Ｅが形成される。更に、頭冠１４の後部孔１４Ｆの上下には前記開口窓１４Ｃと軸心に対して９０度ずれた位置にキー溝１４Ｇが対向して形成されている。
【００１５】
また、押圧部材１７の前部筒１７Ａ外周面の両側にはそれぞれ突起１７Ｂが形成されるとともに、前部筒１７Ａの上下に開口窓１７Ｃが対向して形成され、突起１７Ｂが位置する前部筒１７Ａが弾性変形可能に構成されている。この押圧部材１７の後部には外鍔部１７Ｄが形成され、該外鍔部１７Ｄの上下には前記突起１７Ｂと軸心に対して９０度ずれた位置に外方に突出したキー１７Ｅがそれぞれ形成される。更に、押圧部材１７の内面には芯挿通口を有する内鍔１７Ｆが形成され、この内鍔１７Ｆの前面が芯タンク３の後端を押圧する押圧面となっている。この押圧部材１７の前部にリターンスプリング１６を外嵌した後、頭冠１４の後方より、頭冠１４のキー溝１４Ｇに押圧部材１７のキー１７Ｅを合わせて挿入し、押圧部材１７の突起１７Ｂを頭冠１４の開口窓１４Ｃに長手方向に摺動可能に遊嵌する。
【００１６】
しかも、前記リターンスプリング１６が頭冠１４の段部１４Ｅと押圧部材１７の外鍔部１７Ｄの間に張架されることにより通常押圧部材１７は長手方向後方に付勢されている。押圧部材１７の前部内孔１７Ｇには芯タンク３の後部が挿入され、芯タンク３の後端と押圧部材１７の押圧面は適宜離間して構成されている。更に、押圧部材１７の後部内孔１７Ｈには消しゴム１８が嵌合されて取り付けられ、かつ消しゴム１８を覆うノブ１９が押圧部材１７の後部外面１７Ｉに嵌合されている。このように組み立てられた頭冠１４が前記軸筒７の後端より挿入され、頭冠１４の突起１４Ｂが軸筒７の後部上面に形成された係止窓７Ｋに嵌め込まれて、頭冠１４が軸筒７に取り付けられる。前記軸筒７の係止窓７Ｋ及び頭冠１４の突起１４Ｂはクリップ１５により隠されるために外観を損なうことはない。また、頭冠１４の内鍔１４Ｄには前記芯タンク３の後部が挿通されるとともに、前記重量体１１はコネクター２の外鍔２Ａと頭冠１４の内鍔１４Ｄにより長手方向の摺動が規制される。
【００１７】
以上説明した実施例１の振出式シャープペンシルは、軸筒７を振ることにより生じる重量体１１の慣性力によりチャック１を前進させて芯９を繰り出す。また、芯タンク３内の次の芯９を追従させるには、振ることにより生じる重量体１１の慣性力によっても芯９は追従できるが、確実に次の芯９を追従させるためには、ノブ１９を押圧することにより押圧部材１７の内鍔１７Ｆが芯タンク３の後端を押圧し、芯タンク３及びチャック１が前進することにより口金８内の短くなった残芯を排出するとともに、次の芯９を口金８の先端より突出させるものである。
【００１８】
携帯する場合には、操作体１２を９０度回動して係止片７Ｇの隆起部７Ｈを最深部１２Ａから最浅部１２Ｂに移動させることにより、係止片７Ｇが内方に撓んで係止片７Ｇの前端が重量体１１に圧接され図８及び図９に示した状態となる。この状態では、重量体１１は係止片７Ｇに係止され軸筒７を振っても重量体１１は移動することができない。従って、携帯時に軸筒７が振動させられても芯９は繰り出される恐れはない。しかし、ノブ１９をノックすれば芯タンク３及びチャック１が前進して芯９を繰り出したり、次の芯９を追従させることができる。
【００１９】
携帯状態から筆記状態に戻す場合には、操作体１２を逆に９０度回動して係止片７Ｇの隆起部７Ｈを最浅部１２Ｂから最深部１２Ａに移動させることにより、係止片７Ｇの前端が重量体１１から離間し図１及び図２に示した筆記状態となる。
【実施例２】
【００２０】
図１０及び図１１は本発明の実施例２の振出式シャープペンシルを示したものである。尚、図１と同一の部材は同一の符号を付してその説明は省略する。軸筒１０７は、細径に形成された前部１０７Ｄと、やや太径に形成された後部１０７Ｅにより構成される。この後部１０７Ｅにコ字型に切り欠かれて可撓性を有した係止片１０７Ｇを長手方向前方に伸ばして形成する。この係止片１０７Ｇの前端部に隆起部１０７Ｈが構成される。
【００２１】
円筒形の操作体１１２は、前部に略９０度に渡って切欠部１１２Ｄが形成され、この切欠部１１２Ｄの端に最深部１１２Ａと最浅部１１２Ｂを形成する。しかも、最深部１１２Ａから最浅部１１２Ｂまでの切欠部１１２Ｄの内面を除々に浅くなるように滑らかな曲面で構成し係合面を形成する。更に、最深部１１２Ａには隆起部１０７Ｈを係止するための係止突起１１２Ｃが形成される。
【００２２】
この操作体１１２を軸筒１０７の後方より被せて、操作体１１２の切欠部１１２Ｄに係止片１０７Ｇの隆起部１０７Ｈを挿入する。通常の筆記状態では、隆起部１０７Ｈは操作体１１２の切欠部１１２Ｄの最深部１１２Ａに位置し、係止片１０７Ｇは重量体１１と離間している。
【００２３】
更に、軸筒１０７に鞘２０を着脱可能に螺合し、係止片１０７Ｇの隆起部１０７Ｈと鞘２０の前端の間に操作体１１２が回動可能に取り付けられる。ただし、軸筒１０７の隆起部１０７Ｈは操作体１１２の切欠部１１２Ｄ内、つまり略９０度の範囲で回動範囲が規制される。
【００２４】
この軸筒１０７の前部１０７Ｄにゴム等の軟質材からなるグリップ１３が外嵌され、グリップ１３の内段１３Ａが軸筒１０７の段部１０７Ｊに当接される。従って、グリップ１３の後端と操作体１１２の前端とは適宜離間している。
【００２５】
以上説明した実施例２の振出式シャープペンシルにおいて携帯する場合には、操作体１１２を９０度回動して係止片１０７Ｇの隆起部１０７Ｈを最深部１１２Ａから最浅部１１２Ｂに移動させることにより、係止片１０７Ｇが内方に撓んで係止片１０７Ｇの前端が重量体１１に圧接され図１２及び図１３に示した状態となる。この状態では、重量体１１は係止片１０７Ｇに係止され軸筒１０７を振っても重量体１１は移動することができない。従って、携帯時に軸筒１０７が振動させられても芯９は繰り出される恐れはない。しかし、ノブ１９をノックすれば芯タンク３及びチャック１が前進して芯９を繰り出したり、次の芯９を追従させることができる。
【００２６】
携帯状態から筆記状態に戻す場合には、操作体１１２を逆に９０度回動して係止片１０７Ｇの隆起部１０７Ｈを最浅部１１２Ｂから最深部１１２Ａに移動させることにより、係止片１０７Ｇの前端が重量体１１から離間し図１０及び図１１に示した筆記状態となる。
【実施例３】
【００２７】
図１４及び図１５は、本発明の実施例３の振出式シャープペンシルを示したものである。尚、図１と同一の部材は同一符号を付してその説明は省略する。軸筒２０７は、細径に形成された前部２０７Ｄと、やや太径に形成された中間部２０７Ｆと、中間部２０７Ｆより細径に構成された後部２０７Ｅにより構成される。この後部２０７Ｅにコ字型に切欠かれて可撓性を有した係止片２０７Ｇを長手方向後方に伸ばして形成する。この係止片２０７Ｇの後端部に隆起部２０７Ｈが構成される。また、軸筒２０７の中間部２０７Ｆより後方に伸びた突部２０７Ｉを形成する。
【００２８】
円筒形の操作体２１２は、後端に最深部２１２Ａと最浅部２１２Ｂを対向して形成する。しかも、最深部２１２Ａから最浅部２１２Ｂまでを除々に浅くなるように滑らかな曲面で構成し、係合面を形成する。更に、最深部２１２Ａには隆起部２０７Ｈを係止するための係止突起２１２Ｃを形成する。また、操作体２１２の前端には内径よりやや大きい曲率半径の切欠部２１２Ｄが円周方向に９０度形成する。
【００２９】
この操作体２１２を軸筒２０７の後方より被せ、操作体２１２の隆起部２０７Ｈを内段２１２Ｅに係合させる。また、軸筒２０７の突部２０７Ｉを操作体２１２の切欠部２１２Ｄに挿入する。従って、操作体２１２は軸筒２０７の中間部２０７Ｆと隆起部２０７Ｈの間に突部２０７Ｉが切欠部２１２Ｄ内を略９０度回動可能に遊嵌される。通常の筆記状態では、隆起部２０７Ｈは操作体２１２の最深部２１２Ａに位置し、隆起部２０７Ｈが係止突起２１２Ｃにより係止されるとともに係止片２０７Ｇは重量体１１と離間している。更に、軸筒２０７に鞘２０を着脱可能に螺合する。
【００３０】
この軸筒２０７の前部２０７Ｄにゴム等の軟質材からなるグリップ１３が外嵌され、グリップ１３の内段１３Ａが軸筒２０７の段部２０７Ｊに当接される。従って、グリップ１３の後端と操作体２１２の前端とは適宜離間している。
【００３１】
以上説明した実施例３の振出式シャープペンシルにおいて携帯する場合には、操作体２１２を回動して係止片２０７Ｇの隆起部２０７Ｈを最深部２１２Ａから最浅部２１２Ｂに移動させることにより、係止片２０７Ｇが内方に撓んで係止片２０７Ｇの後端が重量体１１に圧接され図１６及び図１７に示した状態となる。この状態では、重量体１１は係止片２０７Ｇに係止され軸筒２０７を振っても重量体１１は移動することができない。従って、携帯時に軸筒２０７が振動させられても芯９は繰り出される恐れはない。しかし、ノブ１９をノックすれば芯タンク３及びチャック１が前進して芯９を繰り出したり、次の芯９を追従させることができる。
【００３２】
携帯状態から筆記状態に戻す場合には、操作体２１２を逆に回動して係止片２０７Ｇの隆起部２０７Ｈを最浅部２１２Ｂから最深部２１２Ａに移動させることにより、係止片２０７Ｇの後端が重量体１１から離間し図１４及び図１５に示した筆記状態となる。
【００３３】
この実施例３の場合には、操作体２１２は軸筒２０７の中間部２０７Ｆと隆起部２０７Ｈの間に取り付けられているので、軸筒２０７から鞘２０を外した場合でも操作体２１２が外れてしまう恐れはない。
【００３４】
尚、上記した実施例はいずれも係止片が軸筒に設けられているが、本発明は上記実施例に限定されるものではなく、係止片を形成する部材としては振出式シャープペンシルの本体を構成する種々の部材が対象となる。例えば、軸筒に連結される鞘や、軸筒や鞘に取り付けられる金輪や内軸等の本体を構成する部材に係止片を形成しても良い。また、係止片はコ字型に切り欠かれたものに限定されるものではなく、可撓性を有していれば種々の形状が利用できるものである。
【００３５】
また、上記実施例は、重量体１１が金属板を円筒状に丸めて構成されているが、重量体は金属製の線材を巻回して円筒状に構成したり、金属を切削加工により円筒状に構成することも可能である。
【産業上の利用可能性】
【００３６】
操作体を回動することにより、軸筒の係止片を撓ませて重量体を係止する。従って、携帯時に不必要な芯繰出が行われる恐れがない。また、この携帯状態でもノブをノックすれば芯が繰り出せるので、急に筆記する場合が生じてもノブノックにより使用することができる。
【図面の簡単な説明】
【００３７】
【図１】本発明の実施例１の振出式シャープペンシルにおける筆記状態を示す断面図である。（実施例１）
【図２】図１のＡ−Ａ線を示す拡大断面図である。（実施例１）
【図３】図１のＢ−Ｂ線を示す拡大断面図である。（実施例１）
【図４】図１のＣ−Ｃ線を示す拡大断面図である。（実施例１）
【図５】図１のＤ−Ｄ線を示す拡大断面図である。（実施例１）
【図６】図１のＥ−Ｅ線を示す拡大断面図である。（実施例１）
【図７】本発明の実施例１の軸筒を示す主要部拡大平面図である。（実施例１）
【図８】本発明の実施例１の振出式シャープペンシルにおける携帯状態を示す主要部拡大断面図である。（実施例１）
【図９】図８のＡ−Ａ線を示す拡大断面図である。（実施例１）
【図１０】本発明の実施例２の振出式シャープペンシルにおける筆記状態を示す断面図である。（実施例２）
【図１１】図１０のＡ−Ａ線を示す拡大断面図である。（実施例２）
【図１２】本発明の実施例２の振出式シャープペンシルにおける携帯状態を示す主要部拡大断面図である。（実施例２）
【図１３】図１２のＡ−Ａ線を示す拡大断面図である。（実施例２）
【図１４】本発明の実施例３の振出式シャープペンシルにおける筆記状態を示す断面図である。（実施例３）
【図１５】図１４のＡ−Ａ線を示す拡大断面図である。（実施例３）
【図１６】本発明の実施例３の振出式シャープペンシルにおける携帯状態を示す主要部拡大断面図である。（実施例３）
【図１７】図１６のＡ−Ａ線を示す拡大断面図である。（実施例３）
【符号の説明】
【００３８】
１  チャック
７  軸筒
７Ｇ  軸筒７の係止片
７Ｈ  軸筒７の隆起部
９  芯
１１  重量体
１２  操作体
１２Ａ  操作体１２の最深部
１２Ｂ  操作体１２の最浅部
１０７  軸筒
１０７Ｇ  軸筒１０７の係止片
１０７Ｈ  軸筒１０７の隆起部
１１２  操作体
１１２Ａ  操作体１１２の最深部
１１２Ｂ  操作体１１２の最浅部
２０７  軸筒
２０７Ｇ  軸筒２０７の係止片
２０７Ｈ  軸筒２０７の隆起部
２１２  操作体
２１２Ａ  軸筒２１２の最深部
２１２Ｂ  軸筒２１２の最浅部
【図１】
2008273009.tif 000003
【図２】
2008273009.tif 000004
【図３】
2008273009.tif 000005
【図４】
2008273009.tif 000006
【図５】
2008273009.tif 000007
【図６】
2008273009.tif 000008
【図７】
2008273009.tif 000009
【図８】
2008273009.tif 000010
【図９】
2008273009.tif 000011
【図１０】
2008273009.tif 000012
【図１１】
2008273009.tif 000013
【図１２】
2008273009.tif 000014
【図１３】
2008273009.tif 000015
【図１４】
2008273009.tif 000016
【図１５】
2008273009.tif 000017
【図１６】
2008273009.tif 000018
【図１７】
2008273009.tif 000019